(57)【要約】【課題】  より容易に吸込口体等を取り外すことができる掃除機を提供する。【解決手段】  掃除機は、掃除機本体と、塵埃を吸込むための吸込口体と、前記掃除機本体および前記吸込口体に接続される延長管と、前記掃除機本体または前記吸込口体の少なくともいずれかと、前記延長管とを着脱可能にロックするロック手段と、前記延長管の外周に沿ってリング状に移動可能に設けられ、前記ロック手段におけるロックを解除する際に把持される把持部を備え、前記把持部の移動に連動して、前記ロック手段における前記ロックが解除される。【選択図】  図１
2020018617.tif 000002
【特許請求の範囲】
【請求項１】
掃除機本体と、
塵埃を吸込むための吸込口体と、
前記掃除機本体および前記吸込口体に接続される延長管と、
前記掃除機本体または前記吸込口体の少なくともいずれかと、前記延長管とを着脱可能にロックするロック手段と、
前記延長管の外周に沿った形状で移動可能に設けられ、前記ロック手段におけるロックを解除する際に把持される把持部を備え、
前記把持部の移動に連動して、前記ロック手段における前記ロックが解除される、
掃除機。
【請求項２】
前記ロック手段は、前記延長管と前記吸込口体とを着脱可能にロックする吸込口体ロック手段を有する、請求項１に記載の掃除機。
【請求項３】
前記吸込口体ロック手段は、前記把持部を、前記掃除機本体の方向に移動させた際に、前記吸込口体ロック手段における前記ロックが解除する、請求項２に記載の掃除機。
【請求項４】
前記把持部は、前記延長管における前記掃除機本体に接続される本体接続端部の近傍に設けられている、請求項１〜３のいずれか１項に記載の掃除機。
【請求項５】
前記ロック手段は、前記延長管に設けられている請求項１〜４のいずれか１項に記載の掃除機。
【請求項６】
前記ロック手段は、前記延長管と前記掃除機本体とを着脱可能にロックする本体ロック手段を有する、請求項１〜５のいずれか１項に記載の掃除機。
【請求項７】
前記本体ロック手段は、前記把持部を、前記吸込口体の方向に移動させた際に、前記本体ロック手段の前記ロックが解除される、請求項６に記載の掃除機。
【発明の詳細な説明】
【技術分野】
【０００１】
本発明は、掃除機に関する。
【背景技術】
【０００２】
掃除機は、例えば、掃除機本体にホース等を介して接続された延長管および延長管に接続された吸込口体を有しており、延長管と吸込口体とがロック部によりロックされている。このような掃除機においては、上記ロックを解除し、延長管から吸込口体を取り外すことがある。
【０００３】
例えば、特許文献１には、吸込口体に備えられたレバーを足で踏むことにより、吸込口体と延長管とのロックを解除することが開示されている。特許文献２には、掃除機本体に接続される吸引ホースに備えられたトリガーを指で引くことにより、吸込口体と延長管とのロックを解除することが開示されている。特許文献３には、延長管と吸込口体のなす角度が所定角度開いたときに、吸込口体と延長管とのロックを解除することが開示されている。
【先行技術文献】
【特許文献】
【０００４】
【特許文献１】特許第４７１３６５０号
【特許文献２】特開２００７−１９０１９０号公報
【特許文献３】特許第４１２９４４３号
【発明の概要】
【発明が解決しようとする課題】
【０００５】
しかしながら、特許文献１の掃除機では、吸込口体を延長管から取り外す際に、吸込口体を足で踏む必要があり、例えばお年寄り等の足腰が弱っている使用者がバランスを崩し転倒する恐れがある。また、特許文献２の掃除機では、吸込口体を延長管から取り外す際に、トリガーに指をかける等の細かい操作が必要であり、例えばお年寄り等の指先の操作が苦手な使用者が操作しにくい場合がある。さらにまた、特許文献３の掃除機では、吸込口体を取り外す際に、吸込口体を固定し、さらに吸込口体と延長管との角度を所定の角度以上にする煩雑な操作が必要であった。
【課題を解決するための手段】
【０００６】
本発明の一形態の掃除機は、掃除機本体と、塵埃を吸込むための吸込口体と、前記掃除機本体および前記吸込口体に接続される延長管と、前記掃除機本体または前記吸込口体の少なくともいずれかと、前記延長管とを着脱可能にロックするロック手段と、前記延長管の外周に沿った形状で移動可能に設けられ、前記ロック手段におけるロックを解除する際に把持される把持部を備え、前記把持部の移動に連動して、前記ロック手段における前記ロックが解除される。
【発明の効果】
【０００７】
吸込口体等を容易に取り外すことができる。
【図面の簡単な説明】
【０００８】
【図１】第１の実施形態にかかる掃除機の一例の斜視図である。
【図２】図１の掃除機において、各部を分離した場合の側面図である。
【図３】図１の延長管であって、（ａ）は正面図、（ｂ）は側面図、（ｃ）は（ａ）のＡ−Ａ矢視断面図である。
【図４】図３（ｃ）における延長管のロック解除用把持部および本体側接続端部の拡大図である。
【図５】図３（ｃ）における延長管の吸込口体側接続端部の拡大図である。
【図６】図３（ａ）における延長管の吸込口体側接続端部の内部構造を説明するための図である。
【図７】第２の実施形態にかかる掃除機の一例の、各部を分離した斜視図である。
【図８】（ａ）は、ロック解除用把持部を移動させていない場合を示す図７のＢ−Ｂ矢視断面図であり、（ｂ）は（ａ）のＣ−Ｃ矢視断面図であり、（ｃ）は（ｂ）のＤ−Ｄ矢視断面図である。
【図９】（ａ）（ｂ）は、それぞれ図８（ａ）（ｂ）においてロック解除用把持部を吸込口体方向へ移動させた場合を示す図である。
【発明を実施するための形態】
【０００９】
以下、本発明の実施形態について、図面を参照しつつ説明する。なお、図面については、同一又は同等の要素には同一の符号を付し、重複する説明は省略する。
【００１０】
（第１の実施形態）
図１は、本実施形態にかかる掃除機の一例であるスティック型電気掃除機の斜視図であり、図２は同掃除機において、吸込口体、延長管、掃除機本体を分離した際の斜視図である。
【００１１】
図１、図２に示すように、本実施形態の掃除機１は、吸込口体１０と、延長管２０と、掃除機本体３０と、を備える。
【００１２】
吸込口体１０は、掃除の際に床面と対峙させ、塵埃を吸込む吸込口（不図示）を有し、延長管２０に着脱可能に接続される筒状の吸込口体接続部１１と、吸込口体接続部１１に設けられた吸込口体側係止凹部１２とを有する。
【００１３】
延長管２０は、管本体２１と、吸込口体側接続端部２２と、本体側接続端部２３と、ロック解除用把持部（把持部）２４と、を有する。吸込口体側接続端部２２は、管本体２１の一端部に設けられ、吸込口体１０と着脱可能に接続される。本体側接続端部２３は、管本体２１の吸込口体側接続端部２２とは反対側の他端部に設けられ、掃除機本体３０と着脱可能に接続される。ロック解除用把持部２４は、延長管２０と吸込口体１０とのロックを解除する際に操作する部分である。延長管２０の詳細については後述する。
【００１４】
掃除機本体３０は、集塵室３１と、送風機３２と、ハンドル３３と、延長管２０に着脱可能に接続される本体接続部３４と、を備える。
【００１５】
送風機３２は、例えば、使用者がハンドル３３を握って掃除する際に、吸込口体１０から延長管２０を介して、塵埃等を空気と共に、集塵室３１に吸引するようになっている。集塵室３１は、吸引された塵埃等を貯蔵するようになっている。また、使用者は集塵室３１に集められた塵埃を、集塵室３１を取り外すことにより廃棄することができる。
【００１６】
次に、延長管２０の詳細について、図３、図４、図５、図６に基づいて、説明する。図３は、延長管２０であって、（ａ）は正面図、（ｂ）は側面図、（ｃ）は（ａ）のＡ−Ａ矢視断面図である。図４は、図３（ｃ）における延長管２０のロック解除用把持部２４および本体側接続端部２３の拡大図である。図５は、図３（ｃ）における延長管２０の吸込口体側接続端部２２の拡大図である。図６は、図３（ｃ）における延長管２０の吸込口体側接続端部２２の内部構造を説明するための、吸込口体ロック手段カバー４２を外した場合の図である。
【００１７】
図３、図４に示すように、延長管２０の本体側接続端部２３の近傍には、後述の吸込口体ロック手段４１におけるロック解除操作をするためのロック解除用把持部２４が設けられている。ロック解除用把持部２４は、管本体２１(延長管２０)の外周に沿ったリング状であり、管本体２１の長手方向にスライド移動可能に設けられている。また、ロック解除用把持部２４は、滑り防止用の突起部２４ａを有する。このロック解除用把持部２４は、使用者が握りやすいものであれば特に限定されるものではなく、例えば、手で握るための溝を形成したもの、滑り止めのためのゴムを巻いたものであってもよい。またロック解除用把持部２４の形状は、本実施形態ではリング状としているが、管本体２１の外周に沿った形状であれば、特に限定されるものではなく、例えば、リングの一部が途切れた形状等であってもよい。さらに、ロック解除用把持部２４は、管本体２１の長手方向に、使用者が手で握りやすい幅を有することが好ましい。このロック解除用把持部２４の上記幅は、特に限定されるものではないが、例えば、５ｃｍ〜１５ｃｍ程度であれば、使用者が握りやすく好ましい。また、ロック解除用把持部２４が、延長管２０における本体側接続端部２３の近傍に設けられているため、ロック解除用把持部２４と掃除機本体３０のハンドル３３との距離を近くすることができ、例えば、使用者の両手で届く範囲にロック解除用把持部２４とハンドル３３とを位置させることができる。これにより、ハンドル３３を持ったまま、ロック解除用把持部２４を操作することができる。また、ロック解除用把持部２４を、操作した後に所定の位置に戻るように例えばバネ等により付勢していてもよい。
【００１８】
また、本体側接続端部２３の先端部には、掃除機本体３０の本体接続部３４に設けられた本体側ロック部（図示せず）とロックするための本体側係止凹部２３ａが設けられている。
【００１９】
図３、図５、図６に示すように、延長管２０の吸込口体側接続端部２２は、吸込口体１０と接続される部分であり、吸込口体側接続管本体４０と、吸込口体ロック手段４１と、吸込口体ロック手段カバー４２と、を備える。吸込口体側接続管本体４０は、管本体２１に挿入され、管本体２１と固定されている。そして、吸込口体側接続管本体４０の外周部には、吸込口体ロック手段４１が設けられ、この吸込口体ロック手段４１を覆うように吸込口体ロック手段カバー４２が設けられている。また、吸込口体ロック手段４１における後述するボタン部４３ａが吸込口体ロック手段カバー４２から露出している。
【００２０】
さらに、延長管２０の管本体２１は、内管２１ａと内管２１ａを部分的に覆う内管カバー２１ｂを有する。内管２１ａの外側の面と内管カバー２１ｂとの間には、管本体２１の長手方向に沿って伸び、ロック解除用把持部２４と吸込口体ロック手段４１とを連結する連動ワイヤ２６が設けられている。ロック解除用把持部２４の操作は、連動ワイヤ２６を介して吸込口体ロック手段４１に伝達され、吸込口体ロック手段４１のロックが解除される。この連動ワイヤ２６は、ロック解除用把持部２４を操作した際に少なくとも曲がらない程度に剛性を有していればよい。なお、ロック解除用把持部２４による吸込口体１０と延長管２０とのロックの解除についての詳細については、後述する。
【００２１】
吸込口体ロック手段４１は、ロック部材４３と、ロック解除部材４４とを有する。ロック部材４３は、軸部４３ｂと、この軸部４３ｂを挟んで一体に設けられたボタン部４３ａおよび係止部４３ｃを有するとともに、軸部４３ｂと係止部４３ｃとが湾曲部４３ｄで接続されており、吸込口体ロック手段カバー４２と吸込口体側接続管本体４０との間の空間に設置されている。ボタン部４３ａは、例えば図示しないバネにより吸込口体ロック手段カバー４２の外方に付勢されており、上述の通り吸込口体ロック手段カバー４２から外部に露出している。軸部４３ｂは、吸込口体側接続管本体４０の外周面に設置され、この軸部４３ｂを軸としてボタン部４３ａおよび係止部４３ｃが回動可能になっている。係止部４３ｃは、上記ボタン部４３ａがバネにより吸込口体ロック手段カバー４２の外方に付勢されることにより、軸部４３ｂを介して、吸込口体側接続管本体４０の方向に付勢されており、吸込口体側接続管本体４０に形成された穴部４０ａから吸込口体側接続管本体４０の内部に突出するようになっている。この係止部４３ｃは、吸込口体側接続管本体４０に吸込口体１０が挿入された際、吸込口体１０における吸込口体接続部１１に形成されている吸込口体側係止凹部１２（図２参照）に係止され、延長管２０と吸込口体１０との接続をロックする。
【００２２】
ロック解除部材４４は、連動ワイヤ２６と連結するためのワイヤ連結部４４ａと、ワイヤ連結部４４ａと一体に形成された解除部４４ｂとを有する。ワイヤ連結部４４ａは、連動ワイヤ２６と連結するための穴を有し、この穴に連動ワイヤ２６の先端が挿入されることにより連動ワイヤ２６と連結されている。解除部４４ｂは、吸込口体１０と延長管２０とのロックを解除するための部分であり、吸込口体１０と延長管２０とがロックされている状態においては、ロック部材４３における湾曲部４３ｄと吸込口体側接続管本体４０との間に位置している。
【００２３】
ここで、吸込口体１０と延長管２０とのロックが解除される際の動作について説明する。吸込口体１０と延長管２０とのロックを解除する際には、ロック解除用把持部２４が本体側接続端部２３の方向（掃除機本体方向）にスライド移動される。このロック解除用把持部２４のスライド移動に連動して、ロック解除用把持部２４に連結されている連動ワイヤ２６も本体側接続端部２３の方向に移動する。さらに、この連動ワイヤ２６に連結されているロック解除部材４４も本体側接続端部２３の方向に移動する。このロック解除部材４４が移動することにより、ロック解除部材４４の解除部４４ｂが、吸込口体側接続管本体４０に形成された穴部４０ａを閉じるように、ロック部材４３における係止部４３ｃの下に入り込み、係止部４３ｃを吸込口体側接続管本体４０から遠ざかる方向に押し上げる。この押し上げにより、係止部４３ｃは、吸込口体１０における吸込口体接続部１１に形成されている吸込口体側係止凹部１２（図２参照）との係止が解除され、延長管２０と吸込口体１０とのロックが解除される。なお、本実施形態においては、ボタン部４３ａを押すことによっても、吸込口体ロック手段４１におけるロックを解除することができる。
【００２４】
本実施形態では、ロック解除用把持部２４を掃除機本体の方向に移動させた際に、吸込口体ロック手段４１のロックが解除されるようになっている。この場合、ロック解除用把持部２４の移動方向と、吸込口体１０から延長管２０を取り外すために移動させる方向とが同方向となるため、使用者はロック解除用把持部２４を持ったまま移動させる動作と、吸込口体１０から延長管２０を取り外す（引き抜く）動作とを同時に行うことができ、使用者の利便性が向上する。また、ロック解除用把持部２４を手全体で持って操作するため、ボタンやレバー等を操作する場合と異なり、手の一点に力を込めることなくロックを解除できる。
【００２５】
なお、上記吸込口体ロック手段４１の構成は、ロック手段の一例であり、ロック解除用把持部２４の移動に連動して、吸込口体１０と延長管２０とのロックを解除できるものであれば、その構成は特に限定されるものではない。例えば、上記本実施形態とは逆に、ロック解除用把持部２４を吸込口体側接続端部２２の方向（吸込口体方向）にスライド移動させた際に吸込口体ロック手段における延長管２０と延長管とのロックが解除されるように構成してもよい。
【００２６】
本実施の形態によれば、ロック解除用把持部２４を延長管２０の外周に沿った形状になっているため、使用者が持ちやすくなっている。そのため、例えばお年寄り等の細かい作業が苦手な使用者であっても、ロック解除の操作が容易であり、利便性を向上させることができる。
【００２７】
本発明は、上記実施の形態に限定されるものではなく、上記実施の形態で示した構成と実質的に同一の構成、同一の作用効果を奏する構成又は同一の目的を達成することができる構成で置き換えてもよい。
【００２８】
上記第１の実施形態では、延長管２０と吸込口体１０との接続のロックを解除するように構成したが、例えば、延長管２０と吸込口体１０との接続と同様の構成で、延長管２０と掃除機本体３０との接続のロックを解除するように構成してもよい。これにより、延長管２０と掃除機本体３０との接続のロックを、ロック解除用把持部２４を操作するだけで解除することができ、使用者の利便性を向上させることができる。
【００２９】
また、例えば、上記ロック解除用把持部２４をスライド移動させる際には、このロック解除用把持部２４を管本体２１の周方向に回動するように構成してもよい。このロック解除用把持部２４の周方向への回動が、使用者がロック解除用把持部２４を操作する際の遊びとなる。この遊びにより、ロック解除用把持部２４をスライド移動させる際の使用者の動作に余裕を持たせることができ、使用者がより操作しやすくすることができる。
【００３０】
さらに、例えば、上記延長管２０および吸込口体１０においては、吸込口体１０における吸込口体接続部１１を延長管２０における吸込口体側接続端部２２に挿入して延長管２０と吸込口体１０とを接続するように構成したが、延長管２０における吸込口体側接続端部２２の構成と吸込口体接続部１１の構成とを置き換えた構成としてもよい。この場合、ロック手段を吸込口体に設けることになるが、例えば連動ワイヤ２６を吸込口体に設けた連動ワイヤと連動させることによりロック手段のロックを解除すればよい。このように、吸込口体にロック手段を設けた場合には、上記のとおり吸込口体にも連動ワイヤ等を設けるため、ロック手段としては上記第１の実施形態のように延長管２０に設けたほうが部品数も少なく構成がより簡単になる。
【００３１】
（第２の実施形態）
次に、本発明の第２の実施形態を説明する。なお、下記において第１の実施形態と同様である点については説明を省略する。本実施形態の掃除機は、第１の実施形態の掃除機において、さらに掃除機本体と延長管とを解除可能にロックする本体側ロック手段を有するものである。なお、吸込口体ロック手段４１と本体側ロック手段の構成は同様であるため、本体側ロック手段の本実施形態における説明は省略する。
【００３２】
図７は、本実施形態にかかる掃除機の一例であるスティック型電気掃除機において、吸込口体、延長管、掃除機本体を分離した際の斜視図である。
【００３３】
図７に示すように、本実施形態の掃除機１０１は、吸込口体１０と、延長管１２０と、掃除機本体１３０と、を備える。
【００３４】
本実施形態の掃除機１０１における延長管１２０は、第１の実施形態の延長管２０において、本体側接続端部２３を、第１の実施形態の吸込口体側接続端部２２と同様の構成の本体側接続端部１２３に変更している。さらに、この本体側接続端部１２３への変更に伴い、第１の実施形態の掃除機本体３０における本体接続部３４を、第１の実施形態の吸込口体１０における吸込口体接続部１１と同様の構成の本体接続部１３４に変更している。
【００３５】
さらに、本実施形態では、ロック解除用把持部１２４を吸込口体の方向にスライド移動させた場合に、吸込口体側ロック手段における吸込口体１０と延長管１２０とのロックが解除され、掃除機本体の方向にスライド移動させた場合に、本体側ロック手段における掃除機本体１３０と延長管１２０とのロックが解除される。
【００３６】
図８、図９は、本実施形態において、吸込口体ロック手段および本体側ロック手段におけるロックを解除する際に移動させるロック解除用把持部１２４、およびこのロック解除用把持部１２４に連動して連動ワイヤ１２６を移動させるワイヤ移動部について説明するための図である。図８（ａ）は、ロック解除用把持部１２４を移動させていない場合を示す図７のＢ−Ｂ矢視断面図であり、図８（ｂ）は図８（ａ）のＣ−Ｃ矢視断面図であり、図８（ｃ）は図８（ｂ）のＤ−Ｄ矢視断面図である。図９（ａ）（ｂ）は、図８（ａ）（ｂ）においてロック解除用把持部１２４を吸込口体方向へ移動させた場合を示す図である。
【００３７】
図８、図９に示すように、ワイヤ移動部１５０は、ロック解除用把持部１２４と、連動ワイヤ１２６と、コイルバネ１５１と、バネストッパ１５２ａ・１５２ｂと、バネ収納部１５３と、を備える。
【００３８】
ロック解除用把持部１２４は、ロック解除用把持部本体１２４ａと、内管カバー２１ｂに形成されたスリット状のスリット穴部２１ｃを介して、ロック解除用把持部本体１２４ａから管本体２１の方向に伸びるワイヤ固定部１２４ｂ・１２４ｃを有する。ワイヤ固定部１２４ｂ・１２４ｃに、連動ワイヤ１２６が固定されている。また、ワイヤ固定部１２４ｂ・１２４ｃの間には、バネストッパ１５２ａ・１５２ｂおよびバネストッパ１５２a・１５２ｂに挟まれたコイルバネ１５１が設けられている。バネストッパ１５２ａ・１５２ｂは、ワイヤ貫通孔１５２ｃ・１５２ｄを有する。そして、ワイヤ貫通孔１５２ｃ・１５２ｄおよびコイルバネ１５１には、連動ワイヤ１２６が移動可能に貫通している。バネストッパ１５２ａ・１５２ｂは、コイルバネ１５１によりワイヤ固定部１２４ｂ・１２４ｃの方向に付勢されている。
【００３９】
バネ収納部１５３は、直方体の箱状であり、底面部１５３ａと、底面部１５３ａにおける管本体２１の長手方向に沿った両端部から立ち上がった一対の対向する側面部１５３ｂ・１５３ｃおよび、底面部１５３ａにおける管本体２１の長手方向と直交する両端部から垂直に立ち上がった一対の対向する規制部１５３ｄ・１５３ｅを有する。規制部１５３ｄ・１５３ｅには、互いに対向するスリット１５３ｆ・１５３ｇが設けられている。また、底面部１５３ａの対向する面は開放されている。そして、バネ収納部１５３の底面部１５３ａ、側面部１５３ｂ・１５３ｃ、規制部１５３ｄ・１５３ｅで囲まれる空間には、上述のように連動ワイヤ１２６が貫通し、ワイヤ固定部１２４ｂ・１２４ｃの間に設けられたバネストッパ１５２a・１５２ｂおよびコイルバネ１５１が収納される。また、連動ワイヤ１２６に固定されているワイヤ固定部１２４ｂ・１２４ｃは、ロック解除用把持部１２４の管本体２１の長手方向への移動の際にスリット１５３ｆ・１５３ｇおよび底面部１５３ａの対向する面を通過することにより、ロック解除用把持部１２４が移動可能となっている。
【００４０】
図８に示すように、ロック解除用把持部１２４を移動させていない場合には、バネ収納部１５３に収納されたバネストッパ１５２ａ・１５２ｂは、コイルバネ１５１に付勢されるとともに、規制部１５３ｄ・１５３ｅに規制されることにより、ロック解除用把持部１２４を所定の位置にとどまるようになっている。
【００４１】
図９に示すように、ロック解除用把持部１２４をコイルバネ１５１の付勢力に抗して吸込口体方向（図９の左方向）に移動させた場合、連動ワイヤ１２６およびロック解除用把持部１２４のワイヤ固定部１２４ｂ・１２４ｃも同様に吸込口体方向に移動する。その際、バネストッパ１５２ａは、規制部１５３ｅに設けられたスリット１５３ｇを通過したワイヤ固定部１２４ｃに押し出され、吸込口体方向に移動する。一方、対となるバネストッパ１５２ｂは、規制部１５３ｄにより吸込口体方向への移動が規制されている。そのため、例えば使用者がロック解除用把持部１２４の移動操作を止めた（使用者が手を離した）際、バネストッパ１５２ａおよびロック解除用把持部１２４はコイルバネ１５１の付勢力により図８に示す元の位置に移動する。なお、ロック解除用把持部１２４を掃除機本体の方向（図９の右方向）に移動させた場合、連動ワイヤ１２６およびロック解除用把持部１２４のワイヤ固定部１２４ｂ・１２４ｃも同様に掃除機本体方向に移動する。その際、バネストッパ１５２ｂは、規制部１５３ｄに設けられたスリット１５３ｆを通過したワイヤ固定部１２４ｂに押し出され、掃除機本体方向に移動する。一方、対となるバネストッパ１５２ａは、規制部１５３eにより掃除機本体方向への移動が規制されている。そのため、例えば使用者がロック解除用把持部１２４の移動操作を止めた（使用者が手を離した）際、バネストッパ１５２ｂおよびロック解除用把持部１２４はコイルバネ１５１の付勢力により図８に示す元の位置に移動する。
【００４２】
また、本実施形態では、第１の実施形態とは異なり、ロック解除用把持部１２４を吸込口体の方向に移動させた場合に、連動ワイヤ１２６が吸込口体の方向に移動する構成となっている。そのため、本実施形態においては、連動ワイヤ１２６を吸込口体の方向に移動させた場合に、第１の実施形態におけるロック解除部材４４を連動ワイヤ１２６の移動方向とは逆の掃除機本体の方向に移動させるように構成し、吸込口体側ロック手段における吸込口体１０と延長管１２０とのロックを解除すればよい。例えば、ロック解除部材４４を連動ワイヤ１２６の移動方向とは逆に移動させるために、軸を中心に一端を吸込口体の方向に移動させた際に他端が軸を中心に掃除機本体の方向に移動するレバー等を用いればよい。より具体的には、吸込口体方向に移動する連動ワイヤ１２６の吸込口体側の先端に、レバーの一端を固定し、レバーの他端にロック解除部材４４を固定すれば、連動ワイヤ１２６が吸込口体の方向に移動した際に、ロック解除部材４４を掃除機本体の方向に移動させることができ、延長管１２０と吸込口体１０とのロックを解除することができる。なお、本体側ロック手段における掃除機本体１３０と延長管１２０とのロックの解除についても、吸込口体側ロック手段における吸込口体１０と延長管１２０とのロックの解除と同様の構成を用いることで、実現可能である。
【００４３】
本実施形態によれば、ロック解除用把持部１２４を移動させることにより、吸込口体１０および／または掃除機本体３０と、延長管１２０との接続のロックが解除される。上記ロック解除用把持部１２４は、延長管２０の外周に沿った形状であるため、使用者が掴みやすく、操作しやすい。また、ロック解除用把持部１２４を操作するだけで、吸込口体１０および掃除機本体３０のそれぞれの取り外し機構を操作することなく取り外すことができ、利便性をより向上させることができる。
【００４４】
なお、本実施形態においては、ロック解除把持部１２４を掃除機本体の方向に移動させた場合は、連動ワイヤ１２６が掃除機本体の方向に移動し、第１の実施形態と同様に、吸込口体側ロック手段における、延長管１２０と吸込口体１０のロックが解除される構造でもよい。また、ロック解除把持部１２４を吸込口体の方向に移動させた場合は、連動ワイヤ１２６が吸込口本体の方向に移動し、本体側ロック手段における、延長管１２０と掃除機本体３０のロックが解除される。このように、一つのロック解除把持部のみで、移動方向を変えるだけで、吸込口体および掃除機本体のロック解除を選択的に行う事も可能である。
【００４５】
（まとめ）
本発明の掃除機は、掃除機本体と、塵埃を吸込むための吸込口体と、前記掃除機本体および前記吸込口体に接続される延長管と、前記掃除機本体または前記吸込口体の少なくともいずれかと、前記延長管とを着脱可能にロックするロック手段と、前記延長管の外周に沿った形状で移動可能に設けられ、前記ロック手段におけるロックを解除する際に把持される把持部を備え、前記把持部の移動に連動して、前記ロック手段における前記ロックが解除される。
【００４６】
この構成によれば、ロックを解除する際に操作する把持部を延長管の外周に沿った形状にしているため、使用者が把持部を持ちやすく、操作しやすいため、利便性がよい。また、把持部を手で握って把持し移動させれば、容易にロックを解除することができる。また、把持部がリング状であるため、使用者は指等の１点に力を込める必要はなく、扱いやすい。
【００４７】
本発明の掃除機は、次のように構成されていてもよく、それらが適宜組み合わされてもよい。
【００４８】
（１）前記ロック手段は、前記延長管と前記吸込口体とを着脱可能にロックする吸込口体ロック手段を有してもよい。このようにすれば、把持部の操作により、吸込口体と延長管とのロックを容易に解除できる。
【００４９】
（２）前記吸込口体ロック手段は、前記把持部を、前記掃除機本体の方向に移動させた際に、前記前記吸込口体ロック手段における前記ロックが解除するようにしてもよい。このようにすれば、把持部の移動方向と、吸込口体から延長管を取り外すために移動させる方向とが同方向となるため、使用者は把持部を移動させる動作と、吸込口体から延長管を取り外す動作とを同時に行うことができ、使用者の利便性をより向上させることができる。
【００５０】
（３）前記把持部は、前記延長管における前記掃除機本体に接続される本体接続端部の近傍に設けられていてもよい。このようにすれば、掃除する際に握る掃除機本体側に設けられたハンドル等と、把持部との距離を近く両手で届く範囲に調整することができ、前記把持部の操作をしやすくすることができる。
【００５１】
（４）前記ロック手段は、延長管に設けられていてもよい。このようにすれば、延長管における構成でロックを解除することができる。例えば、吸込口体等にロック手段を設けた場合には、延長管に設けられた把持部と連動して、吸込口体にロック手段を解除するための機構を設ける必要があるが、上記の構成では、吸込口体にロックを解除するための機構を設ける必要はなく、より簡単な構成とすることができる。
【００５２】
（５）前記ロック手段は、前記延長管と前記掃除機本体とを着脱可能にロックする本体ロック手段を有していてもよい。このようにすれば、把持部の操作により、掃除機本体と延長管とのロックを容易に解除できる。
【００５３】
（６）前記本体ロック手段は、前記把持部を、前記吸込口体の方向に移動させた際に、前記本体ロック手段の前記ロックが解除されるようにしてもよい。このようにすれば、把持部の移動方向と、掃除機本体から延長管を取り外すために移動させる方向とが同方向となるため、使用者は把持部を移動させる動作と、掃除機本体から延長管を取り外す動作とを同時に行うことができ、使用者の利便性をより向上させることができる。
【００５４】
本発明は、上記実施の形態に限定されるものではなく、上記実施の形態で示した構成と実質的に同一の構成、同一の作用効果を奏する構成又は同一の目的を達成することができる構成で置き換えてもよい。
【００５５】
また、各実施形態では、いわゆるスティック型の掃除機を例に挙げて説明したが、掃除機の種類としてはハンディ型、キャニスター型等、掃除機の種類は特に限定されるものではない。なお、特許請求の範囲における掃除機本体と延長管との接続は、例えば、キャニスター型掃除機のように、ホース部等の介在物を介して掃除機本体と延長管とを接続した場合も含む。より具体的には、キャニスター型掃除機では、ホース部は一端側に握りパイプを有し、他端側が掃除機本体に接続される。延長管は、握りパイプに接続される。このような場合も、特許請求の範囲における掃除機本体と延長管との接続に含まれる。
【符号の説明】
【００５６】
１  掃除機、１０  吸込口体、１１  吸込口体接続部、２０  延長管、２１  管本体、２１ａ  内管、２１ｂ  内管カバー、２１ｃ  スリット穴部、２２  吸込口体側接続端部、２３  本体側接続端部、２３ａ  本体側係止凹部、２４  ロック解除用把持部、２４ａ  突起部、２６  連動ワイヤ、３０  掃除機本体、３１  集塵室、３２  送風機、３３  ハンドル、３４  本体接続部、４０  吸込口体側接続管本体、４０ａ  穴部、４１  吸込口体ロック手段、４２  吸込口体ロック手段カバー、４３  ロック部材、４３ａ  ボタン部、４３ｂ  軸部、４３ｃ  係止部、４４  ロック解除部材、４４ａ  ワイヤ連結部、４４ｂ  解除部
【図１】
2020018617.tif 000003
【図２】
2020018617.tif 000004
【図３】
2020018617.tif 000005
【図４】
2020018617.tif 000006
【図５】
2020018617.tif 000007
【図６】
2020018617.tif 000008
【図７】
2020018617.tif 000009
【図８】
2020018617.tif 000010
【図９】
2020018617.tif 000011